【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
画像形成装置において画像を形成した用紙面を読み取って生成した画像データを用いて異常を検出する検査部と、
前記検査部により検出した異常の種類に応じて圧縮条件を決定し、決定した圧縮条件により前記画像データを圧縮処理して、保存用の画像データを生成する画像保存部と、
を備えることを特徴とする画像検査装置。
【請求項２】
前記画像保存部は、さらに、前記検出した異常の有無に応じて前記圧縮条件を決定することを特徴とする請求項１に記載の画像検査装置。
【請求項３】
前記検査部は、前記検出した異常のレベルを決定し、
前記画像保存部は、さらに、前記異常のレベルに応じて前記圧縮条件を決定することを特徴とする請求項１又は２に記載の画像検査装置。
【請求項４】
前記画像保存部は、前記異常の種類がトナー汚れである場合、前記圧縮条件として、前記トナー汚れとして付着したトナーの色の補色に相当する１色に減らす色変換処理を実施することを決定することを特徴とする請求項１〜３のいずれか一項に記載の画像検査装置。
【請求項５】
前記画像保存部は、前記異常の種類が傷である場合、前記圧縮条件として、単色の画像データに色変換処理することを決定することを特徴とする請求項１〜４のいずれか一項に記載の画像検査装置。
【請求項６】
前記画像保存部は、前記異常の種類が、用紙の搬送方向又は搬送方向と直交する方向において連続する異常である場合、その連続する方向において前記画像データのデータ量が減るように、前記圧縮条件を決定することを特徴とする請求項１〜５のいずれか一項に記載の画像検査装置。
【請求項７】
前記画像保存部は、前記異常の種類が用紙の搬送方向のスジである場合、前記圧縮条件として、前記搬送方向において前記画像データのデータ量が減るように、前記搬送方向の解像度変換処理、前記搬送方向における間引き処理、又は、前記搬送方向の一部を切り取るトリミング処理を実施することを決定することを特徴とする請求項６に記載の画像検査装置。
【請求項８】
前記画像保存部は、前記異常の種類が用紙の搬送方向と直交する方向の濃度ムラである場合、前記圧縮条件として、前記搬送方向において前記画像データのデータ量が減るように、前記搬送方向の解像度変換処理、前記搬送方向における間引き処理、又は、前記搬送方向の一部を切り取るトリミング処理を実施することを決定することを特徴とする請求項６又は７に記載の画像検査装置。
【請求項９】
前記異常は、前記画像形成装置に起因する異常であることを特徴とする請求項１〜８のいずれか一項に記載の画像検査装置。
【請求項１０】
前記画像保存部は、前記圧縮処理として、符号化処理、解像度変換処理、間引き処理、トリミング処理、色変換処理及び階調変換処理の少なくとも１つを実施することを特徴とする請求項１〜９のいずれか一項に記載の画像検査装置。
【請求項１１】
用紙上に画像を形成する画像形成部と、
前記画像形成部において画像を形成した用紙面を読み取って、画像データを生成する画像読取部と、
前記画像読取部により生成した画像データを用いて異常を検出する検査部と、
前記検査部により検出した異常の種類に応じて圧縮条件を決定し、決定した圧縮条件により前記画像データを圧縮処理して、保存用の画像データを生成する画像保存部と、
を備えることを特徴とする画像形成システム。
【請求項１２】
画像形成装置において画像を形成した用紙面を読み取って生成した画像データを用いて異常を検出するステップと、
前記検出した異常の種類に応じて圧縮条件を決定し、決定した圧縮条件により前記画像データを圧縮処理して、保存用の画像データを生成するステップと、
を含むことを特徴とする画像圧縮方法。
【手続補正２】
【補正対象書類名】明細書
【補正対象項目名】０００７
【補正方法】変更
【補正の内容】
【０００７】
請求項１に記載の発明によれば、
画像形成装置において画像を形成した用紙面を読み取って生成した画像データを用いて異常を検出する検査部と、
前記検査部により検出した異常の種類に応じて圧縮条件を決定し、決定した圧縮条件により前記画像データを圧縮処理して、保存用の画像データを生成する画像保存部と、
を備えることを特徴とする画像検査装置が提供される。
請求項２に記載の発明によれば、
前記画像保存部は、さらに、前記検出した異常の有無に応じて前記圧縮条件を決定することを特徴とする請求項１に記載の画像検査装置が提供される。
【手続補正３】
【補正対象書類名】明細書
【補正対象項目名】０００８
【補正方法】変更
【補正の内容】
【０００８】
請求項３に記載の発明によれば、
前記検査部は、前記検出した異常のレベルを決定し、
前記画像保存部は、さらに、前記異常のレベルに応じて前記圧縮条件を決定することを特徴とする請求項１又は２に記載の画像検査装置が提供される。
請求項４に記載の発明によれば、
前記画像保存部は、前記異常の種類がトナー汚れである場合、前記圧縮条件として、前記トナー汚れとして付着したトナーの色の補色に相当する１色に減らす色変換処理を実施することを決定することを特徴とする請求項１〜３のいずれか一項に記載の画像検査装置が提供される。
請求項５に記載の発明によれば、
前記画像保存部は、前記異常の種類が傷である場合、前記圧縮条件として、単色の画像データに色変換処理することを決定することを特徴とする請求項１〜４のいずれか一項に記載の画像検査装置が提供される。
【手続補正４】
【補正対象書類名】明細書
【補正対象項目名】０００９
【補正方法】変更
【補正の内容】
【０００９】
請求項６に記載の発明によれば、
前記画像保存部は、前記異常の種類が、用紙の搬送方向又は搬送方向と直交する方向において連続する異常である場合、その連続する方向において前記画像データのデータ量が減るように、前記圧縮条件を決定することを特徴とする請求項１〜５のいずれか一項に記載の画像検査装置が提供される。
請求項７に記載の発明によれば、
前記画像保存部は、前記異常の種類が用紙の搬送方向のスジである場合、前記圧縮条件として、前記搬送方向において前記画像データのデータ量が減るように、前記搬送方向の解像度変換処理、前記搬送方向における間引き処理、又は、前記搬送方向の一部を切り取るトリミング処理を実施することを決定することを特徴とする請求項６に記載の画像検査装置が提供される。
請求項８に記載の発明によれば、
前記画像保存部は、前記異常の種類が用紙の搬送方向と直交する方向の濃度ムラである場合、前記圧縮条件として、前記搬送方向において前記画像データのデータ量が減るように、前記搬送方向の解像度変換処理、前記搬送方向における間引き処理、又は、前記搬送方向の一部を切り取るトリミング処理を実施することを決定することを特徴とする請求項６又は７に記載の画像検査装置が提供される。
【手続補正５】
【補正対象書類名】明細書
【補正対象項目名】００１０
【補正方法】変更
【補正の内容】
【００１０】
請求項９に記載の発明によれば、
前記異常は、前記画像形成装置に起因する異常であることを特徴とする請求項１〜８のいずれか一項に記載の画像検査装置が提供される。
【手続補正６】
【補正対象書類名】明細書
【補正対象項目名】００１１
【補正方法】変更
【補正の内容】
【００１１】
請求項１０に記載の発明によれば、
前記画像保存部は、前記圧縮処理として、符号化処理、解像度変換処理、間引き処理、トリミング処理、色変換処理及び階調変換処理の少なくとも１つを実施することを特徴とする請求項１〜９のいずれか一項に記載の画像検査装置が提供される。
【手続補正７】
【補正対象書類名】明細書
【補正対象項目名】００１２
【補正方法】変更
【補正の内容】
【００１２】
請求項１１に記載の発明によれば、
用紙上に画像を形成する画像形成部と、
前記画像形成部において画像を形成した用紙面を読み取って、画像データを生成する画像読取部と、
前記画像読取部により生成した画像データを用いて異常を検出する検査部と、
前記検査部により検出した異常の種類に応じて圧縮条件を決定し、決定した圧縮条件により前記画像データを圧縮処理して、保存用の画像データを生成する画像保存部と、
を備えることを特徴とする画像形成システムが提供される。
【手続補正８】
【補正対象書類名】明細書
【補正対象項目名】００１３
【補正方法】変更
【補正の内容】
【００１３】
請求項１２に記載の発明によれば、
画像形成装置において画像を形成した用紙面を読み取って生成した画像データを用いて異常を検出するステップと、
前記検出した異常の種類に応じて圧縮条件を決定し、決定した圧縮条件により前記画像データを圧縮処理して、保存用の画像データを生成するステップと、
を含むことを特徴とする画像圧縮方法が提供される。